(57)【要約】【課題】  回路遮断器本体の表面上に通電情報処理手段である表示部を装着する場合でも、回路遮断器本体の表面上のスペースを有効利用することができ、また、通電情報処理手段である表示部の着脱を容易にすることが可能な通電情報処理機能付回路遮断器を得る。【解決手段】  電路に流れる電流を遮断する遮断機構を収納する回路遮断器本体と、この回路遮断器本体の表面に突出し遮断機構を外部からＯＮ、ＯＦＦ操作するハンドルが配設された突出部と、電路の通電情報を処理する通電情報処理手段とを備え、上記突出部にその突出方向に開閉可能に形成された開閉カバーを配設すると共に通電情報処理手段を上記開閉カバーに着脱可能に形成させたものである。【選択図】図１
2006318699.tif 000002
【特許請求の範囲】
【請求項１】
電路に流れる電流を遮断する遮断機構を収納した回路遮断器本体と、前記回路遮断器本体の表面に突出し前記遮断機構を外部からＯＮ、ＯＦＦ操作するハンドルが配設された突出部と、前記電路の通電情報を処理する通電情報処理手段とを備えた通電情報処理機能付回路遮断器において、前記突出部にその突出方向に開閉可能な開閉カバーを設け、前記通電情報処理手段を前記開閉カバーの開放状態で該開閉カバーに着脱可能に形成したことを特徴とする通電情報処理機能付回路遮断器。
【請求項２】
通電情報処理手段は、通電情報を表示する表示部にて構成されたことを特徴とする請求項１記載の通電情報処理機能付回路遮断器。
【請求項３】
通電情報処理手段は、通電情報を記憶させる通電情報記憶部にて構成されたことを特徴とする請求項１記載の通電情報処理機能付回路遮断器。
【請求項４】
通電情報処理手段は、通電情報を外部へ伝送する通電情報伝送部にて構成されたことを特徴とする請求項１記載の通電情報処理機能付回路遮断器。
【請求項５】
開閉カバーは通電情報処理手段に通電情報を送出する第一のコネクタと嵌合凹部を備え、通電情報処理手段は前記第一のコネクタに着脱される第二のコネクタと前記通電情報処理手段の着脱時に前記嵌合凹部にスライド可能に嵌合する嵌合凸部を備え、前記通電情報処理手段は着脱時に嵌合凸部が嵌合凹部にスライド可能に形成されると共に前記第一のコネクタと第二のコネクタはスライド方向で着脱されることを特徴とする請求項１乃至請求項４のいずれかに記載の通電情報処理機能付回路遮断器。
【発明の詳細な説明】
【技術分野】
【０００１】
この発明は、電路の通電情報を計測、処理する機能を備えた通電情報処理機能付回路遮断器に関する。
【背景技術】
【０００２】
従来の通電情報処理機能付回路遮断器は、トリップパラメータを表示させるディスプレイ及びキーパッドユニットを回路遮断器本体表面の操作ハンドル部と端子部との間に配設させると共に、ディスプレイ及びキーパッドユニットの底面から延出させた第１の電気コネクタを回路遮断器のカバーに配設された第２の電気コネクタに着脱可能に形成させていた。（例えば、特許文献１  図１参照）
【０００３】
【特許文献１】特開平２−１１９０２６号公報（特許第２８８５８３７号公報）
【発明の開示】
【発明が解決しようとする課題】
【０００４】
従来の通電情報処理機能付回路遮断器は以上のように構成されており、回路遮断器本体の表面上にディスプレイユニットを装着するスペースが必要であると共に、コネクタがディスプレイユニットの下面から延出されているのでコネクタの着脱時に着脱部の確認ができず、着脱作業が困難であるという問題があった。
本発明は、上記のような課題を解決するためになされたもので、回路遮断器本体の表面上のスペースを有効利用すると共にディスプレイユニットの着脱を容易にすることを目的としたものである。
【課題を解決するための手段】
【０００５】
本発明に係る通電情報処理機能付回路遮断器は、電路に流れる電流を遮断する遮断機構を収納した回路遮断器本体と、この回路遮断器本体の表面に突出し前記遮断機構を外部からＯＮ、ＯＦＦ操作するハンドルが配設された突出部と、前記電路の通電情報を処理する通電情報処理手段とを備えた通電情報処理機能付回路遮断器において、前記突出部にその突出方向に開閉可能な開閉カバーを設け、前記通電情報処理手段を前記開閉カバーの開放状態で該開閉カバーに着脱可能に形成したものである。
【発明の効果】
【０００６】
本発明は以上説明したように、遮断機構を外部からＯＮ、ＯＦＦ操作するハンドルが配設された突出部に、この突出部の突出方向に開閉可能に形成された開閉カバーを配設すると共に電路の通電情報を処理する通電情報処理手段を上記開閉カバーに着脱可能に形成させることができるので、回路遮断器の表面上のスペースを有効活用することが可能となり、着脱作業が容易となる効果を有する。
【発明を実施するための最良の形態】
【０００７】
実施の形態１．
図１は本発明の実施形態１における通電情報処理機能付回路遮断器を示す外観斜視図、図２は図１の要部縦断側面図を示している。
図１、図２において、電路に流れる電流を遮断する遮断機構を収納する回路遮断器本体１は、取り付けられる電路の電源側用に電源側端子２、負荷側用に負荷側端子７が設けられ、電源側端子２と負荷側端子７をつなぐように通電主導体４が取り付けられている。通電主導体４には、過電流引き外し装置５及びトリップバー６により通電主導体４の電流をＯＮ、ＯＦＦする開閉接点３が取付けられている。上記通電主導体４には、通電主導体４に流れる電流に比例した電流信号を検出する計器用変流器８が、また通電主導体４の各間の電圧に比例した電圧信号を検出する計器用変圧器９がそれぞれ取り付けられ、電流信号及び電圧信号を、通電情報計測装置１０に送信する。
【０００８】
通電情報計測装置１０には、各相電流・各線間電圧の波形データを取得し、通電情報（各相電流、各線間電圧、高調波電流、電力、電力量、漏洩電流等）を算出するマイコン１１、このマイコン１１が算出した情報を外部に出力するための外部出力用コネクタ１２が設けられている。また、回路遮断器本体１の表面には突出部２０が設けられ、この突出部２０には、上記開閉接点３を外部よりＯＮ、ＯＦＦ操作するハンドル２１が配設されている。また、回路遮断器本体１には、警報スイッチや補助スイッチ等で構成される内部付属装置（図示していない）を収納する内部付属装置収納部１３が設けられている。
【０００９】
更に、上記突出部２０には上記内部付属装置収納部１３を覆うと共に突出部２０の突出方向に開閉可能に形成された開閉カバー２２が配設され、この開閉カバー２２には、上記通電情報計測装置１０内のマイコン１１にて処理した通電情報を外部出力用コネクタ１２を介して受け取り、電路の通電情報を処理する通電情報処理手段３０が配設されている。上記通電情報処理手段３０はこの実施の形態１では液晶パネル等で構成された表示部の例を示している。なお、上記突出部２０は、回路遮断器本体１が図示しない配電盤などに装着される場合、この突出部２０または突出部２０の一部が配電盤のカバーから突出されるものである。
【００１０】
図３は図１の開閉カバー２２の開放時の状態を示す外観斜視図であり、図４は上記図３の要部縦断側面図を示している。
図３、図４において、開閉カバー２２には、開閉するための回転軸ピン２３が設けられ、開閉カバー２２は回転軸ピン２３を軸に開閉することができる。
図５は図１の表示部（通電情報処理手段）３０の着脱動作を示す外観斜視図、図６は上記図５の要部縦断側面図を示している。
【００１１】
図５、図６において、開閉カバー２２には通電情報処理手段である表示部３０に通電情報を送出する第一のコネクタ２５が配設され、この第一のコネクタ２５には外部出力コネクタ１２より通電情報を送信する通信ケーブル２４が接続されている。また、通電情報処理手段である表示部３０は、開閉カバー２２に着脱可能（矢印方向）に形成され、開閉カバー２２には通電情報処理手段である表示部３０をスライド挿入するための勘合凹部２６が設けられている。
図７は上記表示部（通電情報処理手段）３０の外観拡大斜視図を示している。
図７において、通電情報処理手段である表示部３０には上記開閉カバー２２の第一コネクタ２５（図６、図７参照）に着脱される第二のコネクタ３１が設けられ、また、開閉カバー２２にスライド挿入するための勘合凸部３２が設けられている。
【００１２】
次に、以上のように構成された通電情報処理機能付回路遮断器の動作について説明する。電路の通電情報を計測し、その通電情報を外部に伝達する手段として表示するための通電情報処理手段である表示部３０は、突出部２０に配設している内部付属装置の収納用開閉カバー２２に挿入させる。上記挿入の際には、この開閉カバー２２は回転軸ピン２３を軸に開閉可能であり、開閉カバー２２を開いた状態で通電情報処理手段である表示部３０を開閉カバー２２に挿入した後、その状態で開閉カバー２２を閉成する。また通電情報処理手段である表示部３０を開閉カバー２２から離脱させる際にも、逆の操作を行うものである。
【００１３】
なおこの際、通電情報処理手段である表示部３０は、着脱時に、通電情報処理手段である表示部３０の勘合凸部３２（図７参照）が開閉カバー２２の勘合凹部２６（図５参照）に沿わせてスライド可能に形成され挿入されることができ、通電情報処理手段である表示部３０の第一のコネクタ３１（図７参照）と開閉カバー２２の第二のコネクタ２５（図６参照）はスライド方向で着脱される。
【００１４】
以上のようにこの発明の実施の形態１によれば、通電情報処理機能付回路遮断器において、通電情報を外部に伝達するために表示する際、通電情報処理手段である表示部をこの回路遮断器本体の表面に突出し遮断機構を外部からＯＮ、ＯＦＦ操作するハンドルが配設された突出部に配設している内部付属装置の収納用開閉カバーに配設させたことで、回路遮断器の表面上のスペースを有効活用することができるという効果がある。
また、通電情報処理手段である表示部は開閉カバーにスライド可能に着脱させ、その挿入方向で通電情報処理手段である表示部と開閉カバーのコネクタを勘合させたことで、着脱作業が確実に行われたことを確認することができるという効果がある。
【００１５】
実施の形態２．
図８は本発明の実施形態２における通電情報処理機能付回路遮断器を示す外観斜視図である。
図８において、開閉カバー２２に通電情報を記憶させる通電情報処理手段である通電情報記憶部４０を着脱する。通電情報記憶部４０は例えば市販のメモリースティック等のデータを記憶し保持する記録媒体を用いることができる。この結果、通電情報データを使用する場合は、通電情報記憶部４０を取り出して、図示しない例えばパソコン等に差込み記録データを入手することができる。
【００１６】
実施の形態３．
図９は本発明の実施形態３における通電情報処理機能付回路遮断器を示す外観斜視図、図１０は通信情報伝送部（通電情報処理手段）の外観斜視図である。
図９、図１０において、開閉カバー２２に通電情報を伝送させる通電情報処理手段である通電情報伝送部５０を着脱する。通電情報処理手段である通電情報伝送部５０には第一の伝送用コネクタ５１が設けられており、この第一の伝送用コネクタ５１には伝送ケーブル５３に接続された第二の伝送用コネクタ５２を接続する。
通電情報処理手段である通電情報伝送部５０の第一の伝送用コネクタ５１に伝送ケーブル５３の先端の第二の伝送用コネクタ５２を接続し、回路遮断器の通電情報のデータを伝送する。この結果、図示しないパソコン等にデータを送信することができる。
【００１７】
なお、上記の実施の形態では通電情報処理手段である通電情報を表示する表示部３０、通電情報を記憶させる通電情報記憶部４０、通電情報を外部へ伝送する通電情報伝送部５０を別々に形成させたが、通電情報処理手段は、上記通電情報を表示する表示部３０または通電情報を記憶させる通電情報記憶部４０または通電情報を外部へ伝送する通電情報伝送部５０の少なくともいずれか１つを含むように形成させても良い。
また、上記の実施の形態では開閉可能に形成させた開閉カバー２２は突出部２０の右側部のみに形成させた例を説明したが、左側部にも同様な開閉カバーを配設して、通電情報処理手段を着脱可能に形成させても良い。
【図面の簡単な説明】
【００１８】
【図１】本発明の実施形態１における通電情報処理機能付回路遮断器を示す外観斜視図である。
【図２】図１の要部縦側断面図である。
【図３】図１の開閉カバーの開放時の外観斜視図である。
【図４】図３の要部縦側断面図である。
【図５】図１の表示部（通電情報処理手段）の着脱動作を示す外観斜視図である。
【図６】図５の要部縦側断面図である。
【図７】表示部（通電情報処理手段）の外観拡大斜視図である。
【図８】本発明の実施形態２における通電情報処理機能付回路遮断器を示す外観斜視図である。
【図９】本発明の実施形態３における通電情報処理機能付回路遮断器を示す外観斜視図である。
【図１０】図９の通信情報伝送部（通電情報処理手段）の外観拡大斜視図である。
【符号の説明】
【００１９】
１  回路遮断器本体、２  電源側端子、３  開閉接点、４  通電主導体、
５  過電流引き外し装置、６  トリップバー、７  負荷側端子、
８  計器用変流器、９  計器用変圧器、
１０  通電情報計測装置、１１  マイコン、１２  外部出力用コネクタ、
１３  内部付属装置収納部、
２０  突出部、２１  ハンドル、２２  開閉カバー、２３  回転軸ピン、
２４  通信ケーブル、２５  第一のコネクタ、２６  勘合凹部、
３０  表示部（通電情報処理手段）、３１  第二のコネクタ、３２  勘合凸部、
４０  通電情報記憶部（通電情報処理手段）
５０  通電情報伝送部（通電情報処理手段）、５１  第一の伝送用コネクタ、
５２  第二の伝送用コネクタ、５３  伝送ケーブル。
【図１】
2006318699.tif 000003
【図２】
2006318699.tif 000004
【図３】
2006318699.tif 000005
【図４】
2006318699.tif 000006
【図５】
2006318699.tif 000007
【図６】
2006318699.tif 000008
【図７】
2006318699.tif 000009
【図８】
2006318699.tif 000010
【図９】
2006318699.tif 000011
【図１０】
2006318699.tif 000012